(57)【要約】【課題】  基板の消費電流がＰＳＵの供給可能な電流の値を超えないように基板の機能を停止または縮小し、異機種の電子機器にボードを挿しても不具合無く動作するようにする。【解決手段】  第１の不揮発性記憶媒体７を有する基板１０と、第２の不揮発性記憶媒体９を有し基板１０に電源を供給する電源供給ユニット１１とを備え、第１の不揮発性記憶媒体７に予め記憶された基板１０の消費電流の情報と、第２の不揮発性記憶媒体９に予め記憶された電源供給ユニット１１が供給可能な電流の情報を読み取って比較し、その結果、電源供給ユニット１１の供給可能な電流情報の値の方が小さい時、第１の不揮発性記憶媒体７に予め記憶された基板１０で使用が許可された機能の情報を、接続されていないデバイスの機能を優先的に停止、縮小するように書き換える制御を行う制御手段１を備えた。【選択図】  図１
2005173662.tif 000002
【特許請求の範囲】
【請求項１】
第１の不揮発性記憶媒体を有する基板と、第２の不揮発性記憶媒体を有し基板に電源を供給する電源供給ユニットとを備え、前記第１の不揮発性記憶媒体に予め記憶された基板の消費電流の情報と、前記第２の不揮発性記憶媒体に予め記憶された電源供給ユニットが供給可能な電流の情報を読み取って比較し、その結果、前記電源供給ユニットの供給可能な電流情報の値の方が小さい時、前記第１の不揮発性記憶媒体に予め記憶された基板で使用が許可された機能の情報を、接続されていないデバイスの機能を優先的に停止、縮小するように書き換える制御を行う制御手段を備えたことを特徴とする電子機器。
【請求項２】
第１の不揮発性記憶媒体を有する基板と、第２の不揮発性記憶媒体を有し基板に電源を供給する電源供給ユニットとを備え、前記第１の不揮発性記憶媒体に予め記憶された基板の消費電流の情報と、前記第２の不揮発性記憶媒体に予め記憶された電源供給ユニットが供給可能な電流の情報を読み取って比較し、その結果、前記電源供給ユニットの供給可能な電流情報の値の方が小さい時、前記第１の不揮発性記憶媒体に予め記憶された基板で使用が許可された機能の情報を、ユーザーの選択により機能の一部を停止、縮小するように書き換える制御を行う制御手段を備えたことを特徴とする電子機器。
【請求項３】
第１の不揮発性記憶媒体を有する基板と、第２の不揮発性記憶媒体を有し基板に電源を供給する電源供給ユニットとを備え、前記第１の不揮発性記憶媒体に予め記憶された基板の消費電流の情報と、前記第２の不揮発性記憶媒体に予め記憶された電源供給ユニットが供給可能な電流の情報を読み取って比較し、その結果、前記電源供給ユニットの供給可能な電流情報の値の方が小さい時、前記第１の不揮発性記憶媒体に予め記憶された基板で使用が許可された機能の情報を、機器として必要最低限な機能のみになるように他の機能を停止、縮小するように書き換える制御を行う制御手段を備えたことを特徴とする電子機器。
【発明の詳細な説明】
【技術分野】
【０００１】
本発明は、電源供給ユニットと、この電源供給ユニットより電源供給を受ける基板とが別基板の電子機器に関するものである。
【背景技術】
【０００２】
電源供給ユニットと、この電源供給ユニットより電源供給を受ける基板とが別基板の電子機器に関連して、特許文献１に記載の技術は、拡張カードの識別情報に基づいて、拡張カードの消費電力を検出し、複数の拡張カードの総和が内蔵する電源手段の電力供給能力を超えるか否かを判定するようにしたものである。スロットから抜き去ることにより前記電源手段の電力供給能力以内となる前記拡張カードを示す注意表示を行う。
特許文献２に記載の技術では、バッテリ残量記憶手段に記憶された初期バッテリ残量と消費電力テーブルの内容を基に、バッテリが設定された動作時間中持続する範囲内で許容される最善の動作モードを各デバイスごとに決定するようにしている。
特許文献３に記載の技術では、通信動作に無関係な部分の機能を停止または低下させ、機能停止または低下部分を除いた部分の消費電流から通信に必要な電池容量を再度予測手段により求めて判定する。
特許文献４に記載の技術では、バッテリの動作時間延長を目的として残量に応じて使用頻度の低いデバイスから順に自動的に切り離す。切り離し工程を実行する前に残り動作可能時間予測をユーザーに通知し、切り離しの可否判別をユーザーに一任する。
特許文献５に記載の技術では、入力電流値が所定の電流値よりも大きいと判断された場合に、定着ヒータに供給する電力を低減する。
【特許文献１】特開２００３−１１４７４３公報
【特許文献２】特開平０５−３０７４３１号公報
【特許文献３】特開平０６−０６７７６６号公報
【特許文献４】特開平１０−２０１１１２号公報
【特許文献５】特開２００２−２０２６８７公報
【発明の開示】
【発明が解決しようとする課題】
【０００３】
ＰＷＢ／ＰＣＢの共通化により、複写機等の電子機器において異機種間でもＰＷＢ／ＰＣＢがまったく変わらなかったり、ＰＣＢでの一部のＩ／Ｆ有無など、ハード構成が類似しているものがある。
また、ＰＷＢ／ＰＣＢが違っても電子機器本体とのＩ／Ｆが異機種間でも共通となっているものもある。このような場合、異機種の基板に載せ替えることがハード的には可能となる。
しかし、電子機器内の基板をリサイクルして、異機種に実装する時、同仕様の機種間では問題が少ないが仕様の違う異機種間では様々な問題が生じてしまう。異機種の基板に載せ替えても、基板の消費電流が電源供給ユニット（ＰＳＵ）の供給可能な電流の値を超えていると、動かなかったり不具合の原因となる。
本発明は、係る問題を解決するためになされたものであり、消費電流という点に注目し、基板の消費電流がＰＳＵの供給可能な電流の値を超えないように基板の機能を停止または縮小し、異機種の電子機器にボードを挿しても不具合無く動作するようにすることを目的としたものである。
【課題を解決するための手段】
【０００４】
上記目的を達成するために、請求項１記載の発明は、第１の不揮発性記憶媒体を有する基板と、第２の不揮発性記憶媒体を有し基板に電源を供給する電源供給ユニットとを備え、第１の不揮発性記憶媒体に予め記憶された基板の消費電流の情報と、第２の不揮発性記憶媒体に予め記憶された電源供給ユニットが供給可能な電流の情報を読み取って比較し、その結果、電源供給ユニットの供給可能な電流情報の値の方が小さい時、第１の不揮発性記憶媒体に予め記憶された基板で使用が許可された機能の情報を、接続されていないデバイスの機能を優先的に停止、縮小するように書き換える制御を行う制御手段を備えた電子機器を最も主要な特徴とする。
請求項２記載の発明は、第１の不揮発性記憶媒体を有する基板と、第２の不揮発性記憶媒体を有し基板に電源を供給する電源供給ユニットとを備え、第１の不揮発性記憶媒体に予め記憶された基板の消費電流の情報と、第２の不揮発性記憶媒体に予め記憶された電源供給ユニットが供給可能な電流の情報を読み取って比較し、その結果、電源供給ユニットの供給可能な電流情報の値の方が小さい時、第１の不揮発性記憶媒体に予め記憶された基板で使用が許可された機能の情報を、ユーザーの選択により機能の一部を停止、縮小するように書き換える制御を行う制御手段を備えた電子機器を最も主要な特徴とする。
請求項３記載の発明は、第１の不揮発性記憶媒体を有する基板と、第２の不揮発性記憶媒体を有し基板に電源を供給する電源供給ユニットとを備え、第１の不揮発性記憶媒体に予め記憶された基板の消費電流の情報と、第２の不揮発性記憶媒体に予め記憶された電源供給ユニットが供給可能な電流の情報を読み取って比較し、その結果、電源供給ユニットの供給可能な電流情報の値の方が小さい時、第１の不揮発性記憶媒体に予め記憶された基板で使用が許可された機能の情報を、機器として必要最低限な機能のみになるように他の機能を停止、縮小するように書き換える制御を行う制御手段を備えた電子機器を最も主要な特徴とする。
【発明の効果】
【０００５】
請求項１によれば、異機種の基板を載せ替えて使用した時、本電子機器内に組み込まれた基板（コントローラ、ＢＣＵ等）上にある不揮発性記憶媒体（ＮＶＲＡＭ、ＥＥＰＲＯＭ等）内に記憶されたこの基板の消費電流の値と、本体の電源供給ユニットの供給可能な電流の値を比較して、基板の消費電流が大きい時（すなわち電源供給ユニットの供給可能な電流の値の方が小さい時）、接続されていないデバイスの機能の一部を停止、縮小することによって、電源供給ユニットの電流供給不足に対応することができる。
請求項２によれば、請求項１の方法で比較し基板の消費電流が大きい時、ユーザーの選択により機能の一部を停止、縮小することによって、電源供給ユニットの電流供給不足に対応できる。
請求項３によれば、基板の消費電流が大きい時、必要最低限な機能のみになるように他の機能を停止、縮小することによって、電源供給ユニットの電流供給不足に対応できる。
【発明を実施するための最良の形態】
【０００６】
以下、図面を参照して、本発明の実施形態を詳細に説明する。
図１は本発明の実施形態に係る電子機器のブロック図である。基板１０において、ＣＰＵ１に、システムバスを介して、ＲＯＭ２、ＲＡＭ３、ハードディスク４、タイマ５、操作表示部６、データ（基板１０の消費電流の情報、基板で使用が許可された機能の情報等）を保存する不揮発性メモリ７、基板１０で使用されるオプションカード／デバイスのＩ／ＦであるオプションＩ／Ｆ８が接続されている。ＣＰＵ１がこれら基板各部２〜８を統括制御する。
タイマ５は、ＣＰＵ１が基板各部を制御する際に利用するタイマ機能であり、例えば、基板各部を同期させるためのタイミングをカウントする際に利用する。操作部６は、駆動条件、基板状態、入力条件などの各種情報を表示すると共にユーザーによる機能選択などの選択入力や設定入力等の入力操作と行うためのタッチパネル付き表示操作ＬＣＤ（Liquid Crystal Display）で構成されている。
電源供給ユニット１１は、基板１０へ電源供給を行う電源供給部１２と、電源供給ユニット１０が供給可能な電流のデータを保存する不揮発性メモリ９により構成されている。不揮発性メモリ７および不揮発性メモリ９に記憶されている消費電流情報の読み取りはＣＰＵ１によって制御される。
【０００７】
図２は本発明の電子機器における動作フローチャートである。不揮発性メモリ７に予め記憶された基板１０の消費電流の情報を取得する（Ｓ１）。不揮発性メモリ９に予め記憶された基板１０に電源を供給する電源供給ユニット１１が供給可能な電流の情報を取得する（Ｓ２）。
基板１０の消費電力情報の値と電源供給ユニット１１の供給可能な電流情報の値を比較し、比較した結果、基板１０の消費電流情報の値が小さい時は（Ｓ３でＮ）終了する。消費電流のほうが大きい時は、電源供給ユニット１１が供給可能な電流以下になるように機能を停止、縮小する（Ｓ４）。
機能を停止、縮小する時は、接続されていないデバイスの機能への電源供給を優先的にストップする（例えばハードディスク４、オプションＩ／Ｆ８等への電源供給を停止する）。機能を停止、縮小したところに対応して、基板１０の不揮発性メモリ７（他に不揮発性メモリを有する基板がある時は、そちらの不揮発性メモリでも可）に予め記憶された基板１０で使用が許可された機能の情報を書き換える（Ｓ５）。不揮発性メモリ７に記憶された基板１０の消費電流の情報を書き換えられた機能を使用した時の消費電流に書き換える（Ｓ６）。
基板１０の不揮発性メモリ７（他に不揮発性メモリを有する基板がある時は、そちらの不揮発性メモリでも可）は、基板１０で使用の許可された機能全て使用した時の消費電流値の情報、各デバイスの消費電流値の情報、各動作周波数での消費電流値の情報を持っており、機能を停止、縮小する時は、停止、縮小された機能の消費電流を減算する。
他の実施例に関しては、Ｓ４の機能を以下のように変更したものになる。停止または縮小する機能をユーザー選択にする。機器として必要最低限な機能のみになるように他の機能を停止、縮小する。
【図面の簡単な説明】
【０００８】
【図１】本発明の実施形態に係る電子機器のブロック図である。
【図２】本発明の電子機器における動作フローチャートである。
【符号の説明】
【０００９】
１  ＣＰＵ（制御手段）
７  不揮発性メモリ（第１の不揮発性記憶媒体）
１１  電源供給ユニット
１３  不揮発性メモリ（第２の不揮発性記憶媒体）
【図１】
2005173662.tif 000003
【図２】
2005173662.tif 000004